(57)【要約】【課題】輝度ムラを抑制する。【解決手段】バックライト装置（照明装置）１２は、複数が並んで配されるＬＥＤ（光源）１７と、端面（光入射面１９ｂ）がＬＥＤ１７と対向状に配されるとともにＬＥＤ１７からの光の照射範囲に入る照射領域ＩＡと照射範囲から外れた非照射領域ＮＩＡとに区分されている一方で、その板面（光出射面１９ａ）からＬＥＤ１７からの光を出射させる導光板１９と、導光板１９を構成するものであって、照射領域ＩＡを有するとともに、内部に存する光に対し、ＬＥＤ１７の並び方向に当該光が拡散するのを規制することで、指向性を付与する指向性導光部２８と、導光板１９を構成するものであって、少なくとも非照射領域ＮＩＡを有するとともに、内部に存する光がＬＥＤ１７の並び方向に拡散するのを許容する非指向性導光部２９と、を備える。【選択図】図５
2013118139.tif 000002
【特許請求の範囲】
【請求項１】
複数が並んで配される光源と、
端面が前記光源と対向状に配されるとともに前記光源からの光の照射範囲に入る照射領域と前記照射範囲から外れた非照射領域とに区分されている一方で、その板面から前記光源からの光を出射させる導光板と、
前記導光板を構成するものであって、前記照射領域を有するとともに、内部に存する光に対し、前記光源の並び方向に当該光が拡散するのを規制することで、指向性を付与する指向性導光部と、
前記導光板を構成するものであって、少なくとも前記非照射領域を有するとともに、内部に存する光が前記光源の並び方向に拡散するのを許容する非指向性導光部と、を備える照明装置。
【請求項２】
前記導光板のうち前記指向性導光部の板面には、前記光源の並び方向に沿って並んで配されるとともに互いに並行する形で直線状に延在する複数のプリズムが形成されている請求項１記載の照明装置。
【請求項３】
前記導光板のうち前記非指向性導光部の板面には、平坦面が形成されている請求項１または請求項２記載の照明装置。
【請求項４】
前記非指向性導光部は、前記非照射領域に加えて、前記照射領域のうち前記非照射領域に隣り合う部分を有している請求項１から請求項３のいずれか１項に記載の照明装置。
【請求項５】
前記指向性導光部は、前記導光板のうち前記光源の並び方向について中央側部分によって構成されるのに対し、前記非指向性導光部は、前記導光板のうち前記光源の並び方向について端側部分によって構成されている請求項１から請求項４のいずれか１項に記載の照明装置。
【請求項６】
前記導光板における前記端面と対向状をなす板面を有するとともに、その板面に複数の前記光源と、前記光源への給電を中継する給電中継部とが実装されてなる光源基板を備えており、
前記非指向性導光部は、前記端面の少なくとも一部が前記給電中継部と対向状に配されている請求項１から請求項５のいずれか１項に記載の照明装置。
【請求項７】
前記導光板には、前記給電中継部を通す中継部挿通凹部が切り欠き形成されている請求項６記載の照明装置。
【請求項８】
前記導光板は、前記光源の並び方向に沿って並んで配されるとともに互いに並行する形で延在する複数の分割導光板により構成される請求項１から請求項７のいずれか１項に記載の照明装置。
【請求項９】
複数の前記分割導光板には、前記非指向性導光部と、前記指向性導光部のうち前記非指向性導光部に隣り合う部分とを有する混在型分割導光板が少なくとも含まれている請求項８記載の照明装置。
【請求項１０】
前記導光板には、同一の前記混在型分割導光板が複数備えられている請求項９記載の照明装置。
【請求項１１】
前記導光板の板面には、前記光源の並び方向に沿って並んで配されるとともに互いに並行する形で直線状に延在する複数のプリズムが、全域にわたって形成されており、
前記非指向性導光部には、前記プリズムの谷部に充填されることで前記板面を平坦化する充填材が設けられている請求項１から請求項１０のいずれか１項に記載の照明装置。
【請求項１２】
請求項１から請求項１１のいずれか１項に記載の照明装置と、前記照明装置からの光を利用して表示を行う表示パネルとを備える表示装置。
【請求項１３】
前記表示パネルは、画像を表示する表示領域と、前記表示領域を取り囲む非表示領域とに区分されており、
前記導光板における前記非指向性導光部は、前記表示領域の少なくとも一部に対して平面に視て重畳する位置に配されている請求項１２記載の表示装置。
【請求項１４】
前記表示パネルは、一対の基板間に液晶を封入してなる液晶パネルとされる請求項１２または請求項１３記載の表示装置。
【請求項１５】
請求項１２から請求項１４のいずれか１項に記載された表示装置を備えるテレビ受信装置。
【発明の詳細な説明】
【技術分野】
【０００１】
本発明は、照明装置、表示装置、及びテレビ受信装置に関する。
【背景技術】
【０００２】
近年、テレビ受信装置をはじめとする画像表示装置の表示素子は、従来のブラウン管から液晶パネルやプラズマディスプレイパネルなどの薄型の表示パネルに移行しつつあり、画像表示装置の薄型化を可能としている。液晶表示装置は、これに用いる液晶パネルが自発光しないため、別途に照明装置としてバックライト装置を必要としており、バックライト装置はその機構によって直下型とエッジライト型とに大別されている。液晶表示装置の一層の薄型化を実現するには、エッジライト型のバックライト装置を用いるのが好ましく、その一例として下記特許文献１に記載されたものが知られている。
【先行技術文献】
【特許文献】
【０００３】
【特許文献１】特開２００９−２８３３８３号公報
【発明の概要】
【発明が解決しようとする課題】
【０００４】
上記した特許文献１に記載されたものでは、導光板の板面にプリズム構造を形成し、そのトラップ作用によって光源からの光に横方向に直進するような指向性を付与することで、導光板のうち液晶パネルの画像信号に同期する形で選択された光源に対応する帯状部分から選択的に光を出射させ、もっていわゆる動画ボケを軽減するようにしている。
【０００５】
ところで、導光板のうち光源と対向状をなす端面には、光源からの光が照射される照射領域と、光が照射されない非照射領域とが生じる場合があるが、この場合には導光板のうち照射領域を有する部分から出射する光のみを液晶パネルの照明光として利用するのが好ましい。ところが、デザイン上の理由などによって液晶表示装置の額縁部分を狭くする、いわゆる狭額縁化を図ろうとした場合には、導光板のうち非照射領域を有する部分からの出射光についても液晶パネルの照明光として利用することが求められる可能性がある。このとき、導光板内に入光した光には、上記したプリズム構造によって指向性が付与されるため、導光板のうち特に非照射領域を有する部分からの出射光にムラが生じ易くなっており、結果として液晶パネルへの照明光に輝度ムラが生じるおそれがあった。
【０００６】
本発明は上記のような事情に基づいて完成されたものであって、輝度ムラを抑制することを目的とする。
【課題を解決するための手段】
【０００７】
本発明の照明装置は、複数が並んで配される光源と、端面が前記光源と対向状に配されるとともに前記光源からの光の照射範囲に入る照射領域と前記照射範囲から外れた非照射領域とに区分されている一方で、その板面から前記光源からの光を出射させる導光板と、前記導光板を構成するものであって、前記照射領域を有するとともに、内部に存する光に対し、前記光源の並び方向に当該光が拡散するのを規制することで、指向性を付与する指向性導光部と、前記導光板を構成するものであって、少なくとも前記非照射領域を有するとともに、内部に存する光が前記光源の並び方向に拡散するのを許容する非指向性導光部と、を備える。
【０００８】
このようにすれば、導光板の端面のうち各光源からの光の照射範囲に入る照射領域には、各光源からの光が入射される。導光板の端面に入射した光は、導光板の内部を伝播された後に導光板の板面から出射される。ここで、端面に照射領域を有する指向性導光部では、内部に存する光に対し、光源の並び方向に当該光が拡散するのを規制することで、指向性が付与されるので、例えば各光源の発光状態を制御することで各光源の照射範囲に応じた導光板の部分毎に出光状態を制御することができる。一方、端面に少なくとも非照射領域を有する非指向性導光部では、内部に存する光の量が指向性導光部から遠ざかるほど少なくなる傾向にあるものの、内部に存する光が光源の並び方向に拡散するのが許容されているので、非指向性導光部の板面からの出射光に輝度ムラが生じ難くなる。これにより、導光板の全体における板面の面内において出射光に輝度ムラが生じ難くなる。ここで、導光板の端面に非照射領域が生じる原因は、主に当該照明装置の額縁部分を狭くする構成に因ることから、上記のように非照射領域に起因する輝度ムラが抑制されることで、当該照明装置の狭額縁化を図ることが可能となる。
【０００９】
本発明の照明装置の実施態様として、次の構成が好ましい。
（１）前記導光板のうち前記指向性導光部の板面には、前記光源の並び方向に沿って並んで配されるとともに互いに並行する形で直線状に延在する複数のプリズムが形成されている。このようにすれば、指向性導光部の内部に存する光は、光源の並び方向に沿って並んで配されるとともに互いに並行する形で直線状に延在する複数のプリズムの界面にて全反射されることで、プリズムの延在方向に沿って直進するような指向性が付与され、もって光源の並び方向に拡散するのが規制される。
【００１０】
（２）前記導光板のうち前記非指向性導光部の板面には、平坦面が形成されている。このようにすれば、非指向性導光部の内部に存する光は、平坦面の界面にて全反射されることで、光源の並び方向に良好に拡散され、もって非指向性導光部の板面からの出射光に輝度ムラが生じ難くなる。また、仮に非指向性導光部の板面に光の拡散性を担保するような非平坦面を形成した場合に比べると、容易に平坦面を形成することができて導光板の製造上好適となる。
【００１１】
（３）前記非指向性導光部は、前記非照射領域に加えて、前記照射領域のうち前記非照射領域に隣り合う部分を有している。このようにすれば、非指向性導光部の端面のうち、照射領域のうち非照射領域に隣り合う部分には、光源からの光が直接入射されるので、その入射した光が非指向性導光部の内部において光源の並び方向に拡散される。これにより、非指向性導光部の板面からの出射光に輝度ムラが一層生じ難くなるとともに、指向性導光部の板面からの出射光との比較において光量に生じ得る差がより好適に緩和される。
【００１２】
（４）前記指向性導光部は、前記導光板のうち前記光源の並び方向について中央側部分によって構成されるのに対し、前記非指向性導光部は、前記導光板のうち前記光源の並び方向について端側部分によって構成されている。このようにすれば、非指向性導光部は、その内部で光が光源の並び方向に拡散されることで、板面からの出射光に輝度ムラが生じ難くなっているものの、指向性導光部との比較において出射光量の差を解消するのが難しい場合がある。その場合であっても、非指向性導光部を導光板のうち光源の並び方向について端側部分によって構成することで、非指向性導光部からの出射光が目立ち難くなり、それにより全体の輝度ムラをより抑制することが可能とされる。
【００１３】
（５）前記導光板における前記端面と対向状をなす板面を有するとともに、その板面に複数の前記光源と、前記光源への給電を中継する給電中継部とが実装されてなる光源基板を備えており、前記非指向性導光部は、前記端面の少なくとも一部が前記給電中継部と対向状に配されている。このようにすれば、非指向性導光部の端面の少なくとも一部には、光源基板における非発光部位である給電中継部と対向状に配されるために、非照射領域が生じているものの、非指向性導光部の内部では、光が光源の並び方向に拡散するのが許容されているので、非指向性導光部の板面からの出射光に輝度ムラが生じ難くなっている。
【００１４】
（６）前記導光板には、前記給電中継部を通す中継部挿通凹部が切り欠き形成されている。このようにすれば、光源基板の板面に設けられた給電中継部が、導光板に切り欠き形成された中継部挿通凹部に通されるので、仮に導光板に中継部挿通凹部を形成しない構成に比べると、光源基板の光源と導光板の端面との間の距離を短くすることができる。これにより、光源から導光板の端面に入射する光の入射効率を高くすることができ、高輝度化または低消費電力化を図ることができる。
【００１５】
（７）前記導光板は、前記光源の並び方向に沿って並んで配されるとともに互いに並行する形で延在する複数の分割導光板により構成される。このようにすれば、複数の分割導光板によって導光板を構成することで、一部品での製造が困難な大型サイズの導光板を容易に得ることができ、もって照明装置の大型化に好適となる。
【００１６】
（８）複数の前記分割導光板には、前記非指向性導光部と、前記指向性導光部のうち前記非指向性導光部に隣り合う部分とを有する混在型分割導光板が少なくとも含まれている。導光板を複数の分割導光板により構成すると、分割箇所が局所的な暗部として視認されるおそれがある。一方、非指向性導光部と指向性導光部とでは、板面からの出射光量に多少なりとも差が生じる場合があるため、仮に非指向性導光部と指向性導光部との境界位置で導光板を分割すると、その分割箇所に生じる暗部が目立ち易くなってしまう。その点、上記したように混在型分割導光板には、非指向性導光部と、指向性導光部のうち非指向性導光部に隣り合う部分とが混在しているから、非指向性導光部と指向性導光部との境界位置が導光板の分割箇所となるのが避けられており、それにより分割箇所に生じ得る暗部が目立ち難くなる。その結果、当該照明装置の出射光に輝度ムラが生じ難くなる。
【００１７】
（９）前記導光板には、同一の前記混在型分割導光板が複数備えられている。このようにすれば、導光板に係る製造コストを低減することができる。
【００１８】
（１０）前記導光板の板面には、前記光源の並び方向に沿って並んで配されるとともに互いに並行する形で直線状に延在する複数のプリズムが、全域にわたって形成されており、前記非指向性導光部には、前記プリズムの谷部に充填されることで前記板面を平坦化する充填材が設けられている。このようにすれば、板面の全域にわたってプリズムが形成された汎用品の導光板を用いることができるから、仮に非指向性導光部についてのみプリズムを形成しない、特殊な構造の導光板を製造した場合に比べると、導光板に係る製造コストを低減することができる。非指向性導光部の板面は、プリズムの谷部に充填材を充填することで平坦化されているから、内部に存する光を光源の並び方向に拡散させることが可能とされる。
【００１９】
次に、上記課題を解決するために、本発明の表示装置は、上記記載の照明装置と、前記照明装置からの光を利用して表示を行う表示パネルとを備える。
【００２０】
このような表示装置によると、表示パネルに対して光を供給する照明装置が、出射光の輝度ムラが抑制されたものであるため、表示品質の優れた表示を実現することが可能となる。
【００２１】
本発明の表示装置の実施態様として、次の構成が好ましい。
（１）前記表示パネルは、画像を表示する表示領域と、前記表示領域を取り囲む非表示領域とに区分されており、前記導光板における前記非指向性導光部は、前記表示領域の少なくとも一部に対して平面に視て重畳する位置に配されている。このようにすれば、導光板の板面からの出射光は、表示パネルの表示領域に照射されることで、表示領域に画像が表示される。ここで、導光板における非指向性導光部は、表示領域の少なくとも一部に対して平面に視て重畳する位置に配されていることから、非指向性導光部の板面からの出射光も表示領域において画像の表示に利用される。そして、この非指向性導光板の板面からの出射光には輝度ムラが生じ難いものとされているから、画像の表示品位を十分に高く保つことができる。上記したように非指向性導光部が表示領域の少なくとも一部に対して平面に視て重畳する位置に配される構成となる原因は、主に表示装置の額縁部分を狭くする構成に因ることから、上記のように画像の表示品位が十分に高く保たれることで、当該表示装置の狭額縁化を図ることが可能となる。
【００２２】
（２）前記表示パネルは、一対の基板間に液晶を封入してなる液晶パネルとされる。このような表示装置は液晶表示装置として、種々の用途、例えばテレビやパソコンのディスプレイ等に適用でき、特に大型画面用として好適である。
【発明の効果】
【００２３】
本発明によれば、輝度ムラを抑制することができる。
【図面の簡単な説明】
【００２４】
【図１】本発明の実施形態１に係るテレビ受信装置の概略構成を示す分解斜視図
【図２】テレビ受信装置が備える液晶表示装置の概略構成を示す分解斜視図
【図３】液晶パネルの短辺方向に沿った断面構成を示す断面図
【図４】バックライト装置に備わるシャーシにおけるＬＥＤ基板及び導光板の配置構成を示す平面図
【図５】図５における導光板の角部付近を拡大した平面図
【図６】液晶パネルの短辺方向に沿った断面構成を示すものであって、基板側コネクタ部及び配線側コネクタ部を示す断面図
【図７】図５のvii-vii線断面図
【図８】導光板における指向性導光部及び非指向性導光部の断面構成を示す断面図
【図９】液晶パネル及びＬＥＤ基板における電気的構成を概略的に示すブロック図
【図１０】バックライト装置をスキャン駆動するに際し、導光体のうち選択されたＬＥＤの照射範囲に対応した帯状の領域から光が出射する態様を表す平面図
【図１１】本発明の実施形態２に係る導光板におけるプリズムの断面構成を示す断面図
【図１２】本発明の実施形態３に係る導光板を構成する分割導光板の配置構成を示す平面図
【図１３】図１２のxiii-xiii線断面図
【図１４】本発明の実施形態４に係る導光板における充填材及び平坦面の断面構成を示す断面図
【図１５】本発明の実施形態５に係る導光板に、平坦面を形成する前の状態を示す断面図
【図１６】導光板に研磨加工を施して平坦面を形成した後の状態を示す断面図
【図１７】本発明の実施形態６に係る導光板における樹脂材の断面構成を示す断面図
【図１８】本発明の実施形態７に係る導光板における基板側コネクタ部挿通凹部と基板側コネクタ部との配置構成を示す平面図
【図１９】図１８における導光板の角部付近を拡大した平面図
【図２０】本発明の実施形態８に係る導光板を構成する分割導光板の配置構成を示す平面図
【図２１】本発明の実施形態９に係る導光板における指向性導光部と非指向性導光部との配置構成を示す平面図
【図２２】本発明の実施形態１０に係る導光板における非指向性導光部に形成したマイクロレンズの平面構成を示す平面図
【図２３】マイクロレンズの断面構成を示す断面図
【図２４】本発明の他の実施形態（１）に係る導光板の断面構成を示す断面図
【図２５】本発明の他の実施形態（２）に係る導光板の角部付近を拡大した平面図
【図２６】導光板における指向性導光部及び非指向性導光部の断面構成を示す断面図
【発明を実施するための形態】
【００２５】
＜実施形態１＞
本発明の実施形態１を図１から図１０によって説明する。本実施形態では、液晶表示装置１０について例示する。なお、各図面の一部にはＸ軸、Ｙ軸及びＺ軸を示しており、各軸方向が各図面で示した方向となるように描かれている。また、図３に示す上側を表側とし、同図下側を裏側とする。
【００２６】
本実施形態に係るテレビ受信装置ＴＶは、図１に示すように、液晶表示装置１０と、当該液晶表示装置１０を挟むようにして収容する表裏両キャビネットＣａ，Ｃｂと、電源Ｐと、チューナーＴと、スタンドＳとを備えて構成される。液晶表示装置（表示装置）１０は、全体として横長（長手）の方形状（矩形状）をなし、縦置き状態で収容されている。この液晶表示装置１０は、図２に示すように、表示パネルである液晶パネル１１と、外部光源であるバックライト装置（照明装置）１２とを備え、これらが枠状のベゼル１３などにより一体的に保持されるようになっている。
【００２７】
液晶パネル１１は、図２に示すように、平面に視て横長の方形（矩形状、長手状）をなしており、透光性に優れた一対のガラス製の基板が所定のギャップを隔てた状態で貼り合わせられるとともに、両基板間に液晶が封入された構成とされる。一対の基板のうち、一方の基板は、互いに直交するソース配線とゲート配線とに接続されたＴＦＴ（スイッチング素子）と、そのＴＦＴに接続された画素電極、さらには配向膜等が設けられるアレイ基板とされるのに対し、他方の基板は、Ｒ（赤色），Ｇ（緑色），Ｂ（青色）等の各着色部が所定配列で配置されたカラーフィルタや対向電極、さらには配向膜等が設けられるＣＦ基板とされる。アレイ基板には、ＴＦＴ及び画素電極が多数個並んで設けられるとともに、これらＴＦＴ及び画素電極の周りには、格子状をなすゲート配線及びソース配線が取り囲むようにして多数本ずつ配設されている。ゲート配線とソース配線とがそれぞれＴＦＴのゲート電極とソース電極とに接続され、画素電極がＴＦＴのドレイン電極に接続されている。この液晶パネル１１は、画面中央側にあって画像が表示可能な表示領域ＡＡと、画面外周端側にあって表示領域ＡＡの周りを取り囲む枠状（額縁状）をなす非表示領域ＮＡＡとに区分されている。なお、図２，図４及び図５において一点鎖線で囲った内側の領域が表示領域ＡＡを示し、外側の領域が非表示領域ＮＡＡを示している。また、両基板の外側には偏光板が配されている。
【００２８】
上記した構成の液晶パネル１１は、図９に示すように、液晶パネル制御部３１によってその駆動が制御されるようになっている。この液晶パネル制御部３１は、画像信号処理部３０から出力された出力信号に基づいて、液晶パネル１１へ向けて制御信号を出力するとともに液晶パネル１１の駆動を制御することができる。この液晶パネル制御部３１による制御と協働してバックライト装置１２から光が供給されることで、液晶パネル１１の表示画面に所望の画像を表示することが可能とされる。画像信号処理部３０には、チューナーＴ（図１を参照）に入力されたテレビジョン放送信号などの画像信号が入力されるようになっており、画像信号処理部３０では、入力された信号を画像処理するとともに、処理した信号を液晶パネル制御部３１などに出力可能とされる。液晶パネル制御部３１は、液晶パネル１１においてＹ軸方向に沿って並列配置された多数本のゲート配線に対して順次に走査信号を供給する垂直走査を実行するとともに、Ｘ軸方向に沿って並列配置された多数本のソース配線に対して上記した垂直走査に同期したタイミングでもってデータ信号を供給する。これにより、１フレーム期間内に全ての画素電極に所定の電圧を印加することができ、もって液晶パネル１１における各画素毎に光の透過率を制御することが可能とされる。
【００２９】
続いて、バックライト装置１２について詳しく説明する。バックライト装置１２は、図２に示すように、表側、つまり光出射側（液晶パネル１１側）に開口する開口部１４ｃを有した略箱型をなすシャーシ１４と、シャーシ１４の開口部１４ｃを覆う形で配される光学部材１５と、次述する導光板１９を表側から押さえるフレーム１６とを備えている。さらにはシャーシ１４内には、光源であるＬＥＤ（Light Emitting Diode：発光ダイオード）１７が実装されたＬＥＤ基板（光源基板）１８と、ＬＥＤ１７からの光を導光して光学部材１５（液晶パネル１１、光出射側）へと導く導光板１９とが収容されている。そして、このバックライト装置１２では、ＬＥＤ１７を有するＬＥＤ基板１８が、導光板１９をその長辺方向（Ｘ軸方向）の両側方から挟み込む形で対をなすとともに、その対をなすＬＥＤ基板１８が導光板１９の短辺方向（Ｙ軸方向）に沿って２組並んで配され、合計４枚設置されている。各ＬＥＤ基板１８に実装されたＬＥＤ１７は、液晶パネル１１及び導光板１９における短辺側の各端部寄りに偏在するとともに、その端部に沿う方向、つまり短辺方向（Ｙ軸方向）に沿って複数ずつが並んで配されている。このように、本実施形態に係るバックライト装置１２は、いわゆるエッジライト型（サイドライト型）とされている。以下では、バックライト装置１２の各構成部品について詳しく説明する。
【００３０】
シャーシ１４は、例えばアルミニウム板や電気亜鉛めっき綱板（ＳＥＣＣ）などの金属板からなり、図２から図４に示すように、液晶パネル１１と同様に横長の方形状をなす底板１４ａと、底板１４ａにおける各辺（一対の長辺及び一対の短辺）の外端からそれぞれ表側に向けて立ち上がる側板１４ｂとからなる。シャーシ１４（底板１４ａ）は、その長辺方向がＸ軸方向（水平方向）と一致し、短辺方向がＹ軸方向（鉛直方向）と一致している。また、側板１４ｂには、フレーム１６及びベゼル１３がねじ止め可能とされる。
【００３１】
光学部材１５は、図２に示すように、液晶パネル１１及びシャーシ１４と同様に平面に視て横長の方形状をなしている。光学部材１５は、導光板１９の表側（光出射側）に載せられていて液晶パネル１１と導光板１９との間に介在して配されることで、導光板１９からの出射光を透過するとともにその透過光に所定の光学作用を付与しつつ液晶パネル１１に向けて出射させる。光学部材１５は、裏側（導光板１９側、光出射側とは反対側）に配される拡散板１５ａと、表側（液晶パネル１１側、光出射側）に配される光学シート１５ｂとから構成される。拡散板１５ａは、所定の厚みを持つほぼ透明な合成樹脂製の基材内に拡散粒子を多数分散して設けた構成とされ、透過する光を拡散させる機能を有する。光学シート１５ｂは、拡散板１５ａに比べると板厚が薄いシート状をなしており、３枚が積層して配されている。具体的な光学シート１５ｂの種類としては、例えば拡散シート、レンズシート、反射型偏光シートなどがあり、これらの中から適宜に選択して使用することが可能である。なお、図３及び図６では、都合上３枚の光学シート１５ｂを１枚に簡略化して図示している。
【００３２】
フレーム１６は、図２に示すように、導光板１９の外周端部に沿って延在する枠状（額縁状）に形成されており、導光板１９の外周端部をほぼ全周にわたって表側から押さえることが可能とされる。このフレーム１６は、合成樹脂製とされるとともに、表面が例えば黒色を呈する形態とされることで、遮光性を有するものとされる。フレーム１６のうち両短辺部分における裏側の面、つまり導光板１９及びＬＥＤ基板１８（ＬＥＤ１７）との対向面には、図３に示すように、光を反射させる第１反射シート２０がそれぞれ取り付けられている。第１反射シート２０は、フレーム１６の短辺部分におけるほぼ全長にわたって延在する大きさを有しており、導光板１９におけるＬＥＤ１７と対向状をなす端部に直接当接されるとともに導光板１９の上記端部とＬＥＤ基板１８とを一括して表側から覆うものとされる。また、フレーム１６は、液晶パネル１１における外周端部を裏側から受けることができる。
【００３３】
ＬＥＤ１７は、図２及び図３に示すように、ＬＥＤ基板１８に固着される基板部上にＬＥＤチップを樹脂材により封止した構成とされる。基板部に実装されるＬＥＤチップは、主発光波長が１種類とされ、具体的には、青色を単色発光するものが用いられている。その一方、ＬＥＤチップを封止する樹脂材には、ＬＥＤチップから発せられた青色の光により励起されて所定の色を発光する蛍光体が分散配合されており、全体として概ね白色光を発するものとされる。なお、蛍光体としては、例えば黄色光を発光する黄色蛍光体、緑色光を発光する緑色蛍光体、及び赤色光を発光する赤色蛍光体の中から適宜組み合わせて用いたり、またはいずれか１つを単独で用いることができる。このＬＥＤ１７は、ＬＥＤ基板１８に対する実装面とは反対側の面（導光板１９との対向面）が主発光面１７ａとなる、いわゆる頂面発光型とされている。ＬＥＤ１７からの発光光は、図５に示すように、主発光面１７ａの中央位置を通る垂線と一致する光軸ＬＡを中心にして所定の角度範囲内で三次元的に放射状に広がるものとされる。なお、図５では、ＬＥＤ１７の照射範囲を、光軸ＬＡを挟んだ２本の一点鎖線により図示している。
【００３４】
ＬＥＤ基板１８は、図２から図４に示すように、シャーシ１４の短辺方向（液晶パネル１１及び導光板１９におけるＬＥＤ１７側の端部、Ｙ軸方向）に沿って延在する、長手の板状をなしており、その板面をＹ軸方向及びＺ軸方向に並行させた姿勢、すなわち液晶パネル１１及び導光板１９（光学部材１５）の板面と直交させた姿勢でシャーシ１４内に収容されている。つまり、このＬＥＤ基板１８は、板面における長辺方向がＹ軸方向と、短辺方向がＺ軸方向とそれぞれ一致し、さらには板面と直交する板厚方向がＸ軸方向と一致した姿勢とされる。ＬＥＤ基板１８は、Ｘ軸方向について導光板１９を挟んだ位置に対をなす形で配されており、詳しくは導光板１９とシャーシ１４における短辺側の各側板１４ｂとの間に介在するようそれぞれ配され、シャーシ１４に対してはＺ軸方向に沿って表側から収容されるようになっている。ＬＥＤ基板１８は、シャーシ１４における短辺側の側板１４ｂの内面に対して、２枚がＹ軸方向に並ぶ形で取り付けられている。各ＬＥＤ基板１８は、その長さ寸法が導光板１９の短辺寸法の概ね半分程度の大きさとされている。各ＬＥＤ基板１８は、ＬＥＤ１７が実装される実装面１８ａとは反対側の板面がシャーシ１４における短辺側の各側板１４ｂの内面に接する形でそれぞれ取り付けられている。従って、各ＬＥＤ基板１８にそれぞれ実装された各ＬＥＤ１７の発光面１７ａが対向状をなすとともに、各ＬＥＤ１７における光軸ＬＡがＸ軸方向（液晶パネル１１の板面に並行する方向）に並行する。
【００３５】
ＬＥＤ基板１８の板面のうち、内側、つまり導光板１９側を向いた面（導光板１９との対向面）には、図２から図４に示すように、複数（図４では６個）のＬＥＤ１７がＬＥＤ基板１８の長辺方向（液晶パネル１１及び導光板１９の短辺方向、Ｙ軸方向）に沿って間欠的に並列して配されており、この一列に並列したＬＥＤ１７によりＬＥＤ群が構成されている。各ＬＥＤ１７は、ＬＥＤ基板１８における導光板１９側を向いた面に表面実装されており、ここが実装面１８ａとされている。Ｘ軸方向について隣り合うＬＥＤ１７間の間隔、つまりＬＥＤ１７の配列間隔（配列ピッチ）は、ほぼ等しいものとされる。このＬＥＤ基板１８の基材は、例えばアルミニウムなどの金属製とされ、その表面に絶縁層を介して既述した配線パターン（図示せず）が形成されている。なお、ＬＥＤ基板１８の基材に用いる材料としては、合成樹脂やセラミックなどの絶縁材料を用いることも可能である。
【００３６】
ＬＥＤ基板１８の実装面１８ａには、その長さ方向（Ｘ軸方向）に沿って延在するとともにＬＥＤ群を横切って隣り合うＬＥＤ１７同士を直列接続する、金属膜（銅箔など）からなる配線パターン（図示せず）が形成されている。そして、ＬＥＤ基板１８の実装面１８ａには、図４に示すように、配線パターンの端部に位置して基板側コネクタ部（給電中継部）２２が実装されている。つまり、ＬＥＤ基板１８は、片方の板面にのみＬＥＤ１７及び基板側コネクタ部２３などが実装された片面実装型であると言える。この基板側コネクタ部２３は、ＬＥＤ基板１８における長さ方向の両端部のうちの一方の端部、具体的にはシャーシ１４及び導光板１９の短辺方向の外側の端部付近に偏心した位置に配されている。従って、シャーシ１４及び導光板１９における４つの角部（四隅位置）付近には、４枚のＬＥＤ基板１８が有する各基板側コネクタ部２３がそれぞれ配されることになる。この基板側コネクタ部２３は、導光板１９の端面（光入射面１９ｂ）における短辺方向についての端部と対向状をなすものの、ＬＥＤ基板１８において非発光部位であるため、導光板１９の端面における短辺方向についての端部には、ＬＥＤ１７の照射範囲から外れた非照射領域ＮＩＡが生じるものとされる。この非照射領域ＮＩＡは、導光板１９のうち各基板側コネクタ部２３と対向状をなす４つの角部が有する端面に生じている。
【００３７】
基板側コネクタ部２３には、図６に示すように、中継配線部材（配線部材）２４の端末に配された配線側コネクタ部２５が、Ｚ軸方向（導光板１９の板厚方向）に沿って表側から嵌合接続されている。基板側コネクタ部２３は、凹型をなすのに対し、配線側コネクタ部２５は、凸型をなしており、これらが相互に凹凸嵌合されることで電気的な接続が図られるものとされる。中継配線部材２４は、図９に示すように、ＬＥＤ駆動部３２に接続されており、このＬＥＤ駆動部３２から供給される駆動電力が、中継配線部材２４、配線側コネクタ部２５、ＬＥＤ基板１８の基板側コネクタ部２３及び配線パターンを介して各ＬＥＤ１７に供給されるようになっている。このＬＥＤ駆動部３２は、画像信号処理部３０から入力された信号に基づいて各ＬＥＤ１７の駆動を制御することが可能とされる。このとき、ＬＥＤ駆動部３２は、画像信号処理部３０から液晶パネル制御部３１に入力される走査信号の垂直走査に同期して選択したＬＥＤ１７を順次に所定の選択期間ずつ点灯する、といったスキャン駆動を行うことが可能とされる。
【００３８】
導光板１９は、屈折率が空気よりも十分に高く且つほぼ透明な（透光性に優れた）合成樹脂材料（例えばアクリルなど）からなり、押し出し成形や射出成形などの手法によって製造されている。導光板１９は、図２及び図４に示すように、液晶パネル１１及びシャーシ１４の底板１４ａと同様に平面に視て横長の方形状をなす平板状とされており、その板面が液晶パネル１１及び光学部材１５の各板面と対向状をなしつつ並行している。導光板１９は、その板面における長辺方向がＸ軸方向と、短辺方向がＹ軸方向とそれぞれ一致し、且つ板面と直交する板厚方向がＺ軸方向と一致している。導光板１９は、図３に示すように、シャーシ１４内において液晶パネル１１及び光学部材１５の直下位置に配されており、その外周端面のうちの一対の短辺側の端面がシャーシ１４における短辺側の両端部に配された対をなすＬＥＤ基板１８の各ＬＥＤ１７とそれぞれ対向状をなしている。従って、ＬＥＤ１７（ＬＥＤ基板１８）と導光板１９との並び方向がＸ軸方向と一致するのに対して、光学部材１５（液晶パネル１１）と導光板１９との並び方向がＺ軸方向と一致しており、両並び方向が互いに直交するものとされる。そして、導光板１９は、ＬＥＤ１７からＸ軸方向に沿って発せられた光を短辺側の端面から導入するとともに、その光を内部で伝播させつつ光学部材１５側（表側、光出射側）へ向くよう立ち上げて板面から出射させる機能を有する。なお、導光板１９は、上記した光学部材１５よりも一回り大きく形成されており、その外周端部が光学部材１５の外周端面よりも外側に張り出すとともに既述したフレーム１６により押さえられるものとされる。
【００３９】
平板状をなす導光板１９の板面のうち、表側を向いた面（液晶パネル１１や光学部材１５との対向面）は、図３に示すように、内部の光を光学部材１５及び液晶パネル１１側に向けて出射させる光出射面１９ａとなっている。導光板１９における板面に対して隣り合う外周端面のうち、Ｙ軸方向（ＬＥＤ１７の並び方向、ＬＥＤ基板１８の長辺方向）に沿って長手状をなす一対の短辺側の端面は、それぞれＬＥＤ１７（ＬＥＤ基板１８）と所定の空間を空けて対向状をなしており、これらがＬＥＤ１７から発せられた光が入射される光入射面１９ｂとなっている。このＬＥＤ１７と光入射面１９ｂとの間に保有される空間の表側には、既述した第１反射シート２０が配されているのに対し、同空間の裏側には、第１反射シート２０との間で同空間を挟み込む形で第２反射シート２１が配されている。両反射シート２０，２１は、上記空間に加えて導光板１９におけるＬＥＤ１７側の端部及びＬＥＤ１７をも挟み込む形で配されている。これにより、ＬＥＤ１７からの光を両反射シート２０，２１間で繰り返し反射することで、光入射面１９ｂに対して効率的に入射させることができる。また、光入射面１９ｂは、Ｙ軸方向及びＺ軸方向に沿って並行する面とされ、光出射面１９ａに対して略直交する面とされる。また、ＬＥＤ１７と光入射面１９ｂとの並び方向は、Ｘ軸方向と一致しており、光出射面１９ａに並行している。
【００４０】
導光板１９の板面のうち、光出射面１９ａとは反対側の面１９ｃには、図３に示すように、導光板１９内の光を反射して表側へ立ち上げることが可能な第３反射シート（導光反射シート）２２がその全域を覆う形で設けられている。言い換えると、第３反射シート２２は、シャーシ１４の底板１４ａと導光板１９との間に挟まれた形で配されている。なお、導光板１９における光出射面１９ａと反対側の面１９ｃとの少なくともいずれか一方、または第３反射シート２２の表面には、導光板１９内の光を散乱させる散乱部（図示せず）などが所定の面内分布を持つようパターニングされており、それにより光出射面１９ａからの出射光が面内において均一な分布となるよう制御されている。
【００４１】
ここで、導光板１９の光出射面１９ａには、図７及び図８に示すように、導光板１９内を伝播する光に対し、Ｙ軸方向、つまりＬＥＤ１７の並び方向に光が拡散するのを規制することで、指向性を付与するためのプリズム２６が形成されている。プリズム２６は、断面形状が略三角形（略直角三角形）の山型をなすとともに、Ｘ軸方向、つまりＬＥＤ１７の光軸ＬＡに並行する方向（ＬＥＤ１７の並び方向と直交する方向）に沿って直線的に延在する突条とされており、Ｙ軸方向に沿って多数並列配置されている。このプリズム２６は、後述する平坦面２７よりもＺ軸方向について表側に突出する形態とされている。プリズム２６は、その頂角がほぼ直角（９０度）に設定されているので、プリズム２６の界面にて全反射した光は、導光板１９内においてＹ軸方向（ＬＥＤ１７の走査方向、縦方向）に拡散し得る範囲が制限されることで、Ｘ軸方向（プリズム２６の延在方向、横方向）に沿ってほぼ直進するような指向性を付与されるようになっている。従って、Ｙ軸方向に沿って並列する複数のＬＥＤ１７のいずれかを選択的に点灯させると、導光板１９の光出射面１９ａのうち選択されたＬＥＤ１７の照射範囲に対応した横長な帯状の領域からは光が選択的に出射されるのに対し、それ以外の領域（非選択とされたＬＥＤ１７の照射範囲に対応した領域）からは殆ど光が出射されることがないものとされる（図１０を参照）。そして、既述したように各ＬＥＤ１７を、液晶パネル１１にて行われる垂直走査に同期してスキャン駆動すると、導光板１９の光出射面１９ａのうち上記垂直走査に同期して選択された帯状の領域が順次に所定の選択期間ずつ発光することになる。これにより、バックライト装置１２を擬似的にインパルス駆動することができ、もって動画解像度を向上させていわゆる動画ボケを軽減することができる。なお、図１０では導光板１９の光出射面１９ａのうち発光する帯状の領域を網掛け状にして図示している。
【００４２】
その一方、導光板１９のうちＬＥＤ１７と対向状をなす端面である光入射面１９ｂは、図４及び図５に示すように、ＬＥＤ１７からの光の照射範囲に入る照射領域ＩＡと、ＬＥＤ１７からの光の照射範囲から外れた非照射領域ＮＩＡとに区分することができる。非照射領域ＮＩＡは、既述した通り、光入射面１９ｂのうちＬＥＤ基板１８側の基板側コネクタ部２３と対向する部分、つまりＹ軸方向についての両端側部分により構成されている。一方、照射領域ＩＡは、光入射面１９ｂのうち上記した非照射領域ＮＩＡを除いた部分であり、Ｙ軸方向についての中央側の大部分により構成されている。つまり、導光板１９の光入射面１９ｂには、中央側の大部分に対してＹ軸方向に沿って並列配置された各ＬＥＤ１７からの光が照射されるものの、両端側部分については非発光部位である基板側コネクタ部２３が対向状に配置されているために光が照射されなくなっている。ここで、仮に光出射面１９ａの全域にわたって上記したプリズム２６を形成すると、次の問題が生じることが懸念される。すなわち、導光板１９の光入射面１９ｂには、照射領域ＩＡと非照射領域ＮＩＡとが存在しているのに対して、光入射面１９ｂに入射した光には、プリズム２６によってＸ軸方向に沿って直進するような指向性が付与されるため、導光板１９のうち特に非照射領域ＮＩＡを有する端側部分（短辺方向の両端側部分）からの出射光にムラが生じ易くなっていたのである。そして、デザイン上の理由などによって液晶表示装置１０の額縁部分を狭くする、いわゆる狭額縁化を図るに際し、図４に示すように、導光板１９のうち非照射領域ＮＩＡを有する端側部分が液晶パネル１１の表示領域ＡＡ内に入る配置構成（平面に視て表示領域ＡＡと重畳する配置構成）となった場合には、導光板１９のうち非照射領域ＮＩＡを有する端側部分からの出射光を液晶パネル１１への照明光として利用することが求められ、そうなると液晶パネル１１の表示領域ＡＡに表示される画像の表示品位が低下することが懸念される。
【００４３】
そこで、本実施形態では、図４及び図７に示すように、導光板１９の光出射面１９ａの全域にプリズム２６を形成せず、非照射領域ＮＩＡを有する端側部分については平坦面２７を形成するようにしている。つまり、本実施形態に係る導光板１９は、光出射面１９ａにプリズム２６が形成されることで内部に存する光にＸ軸方向に沿って直進するような指向性を付与する指向性導光部２８と、光出射面１９ａに平坦面２７が形成されることで内部に存する光がＹ軸方向に拡散するのを許容する非指向性導光部２９とから構成されている、と言える。指向性導光板２８は、導光板１９のうちＹ軸方向（ＬＥＤ１７の並び方向）について中央側部分によって構成されているのに対し、非指向性導光部２９は、導光板１９のうちＹ軸方向について両端側部分によって構成されていて一対が備えられている。なお、指向性導光部２８が有するプリズム２６に係る構成及び作用については既に説明しているため、ここでの説明は割愛する。
【００４４】
非指向性導光部２９が有する平坦面２７は、図８に示すように、導光板１９における光出射面１９ａとは反対側の面１９ｃに並行するフラットな形態とされる。非指向性導光部２９の内部に存する光は、この平坦面２７の界面にて全反射されたとき、特にプリズム２６のようにＹ軸方向に拡散するのが規制されないことから、非指向性導光部２９の内部をＸ軸方向及びＹ軸方向について比較的自由に伝播することが許容されている。これにより、非指向性導光部２９の光出射面１９ａ（平坦面２７）からの出射光に輝度ムラが生じ難くなっている。なお、平坦面２７は、導光板１９を金型を用いて樹脂成形する際に、金型の成形面の形状によってプリズム２６と共に形成されている。
【００４５】
指向性導光部２８の光入射面１９ｂは、図４及び図５に示すように、その全域がＬＥＤ１７からの光が照射される照射領域ＩＡとされる。これに対し、非指向性導光部２９の光入射面１９ｂは、ＬＥＤ１７からの光が照射されない非照射領域ＮＩＡの全域と、照射領域ＩＡのうち非照射領域ＮＩＡに隣り合う部分とを有している。従って、非指向性導光部２９の光入射面１９ｂのうち、指向性導光部２８に隣り合う部分には、照射領域ＩＡが含まれているので、ＬＥＤ１７からの光が直接入射されるようになっており、その入射した光が平坦面２７によってＹ軸方向に拡散するのが許容されることで、非指向性導光部２９の全域にムラ無く行き渡るようになっている。非指向性導光部２９は、非照射領域ＮＩＡの全域を有していることから、その大部分（照射領域ＩＡを除いた部分）が基板側コネクタ部２３と対向状をなす位置関係とされている。非指向性導光部２９は、液晶パネル１１の表示領域ＡＡと平面に視て重畳する位置関係にあることから、その光出射面１９ａ（平坦面２７）からの出射光が液晶表示装置１１の表示領域ＡＡでの画像の表示に利用される。
【００４６】
本実施形態は以上のような構造であり、続いてその作用を説明する。チューナーＴを介してテレビジョン放送信号などの画像信号が画像信号処理部３０に入力されると、図９に示すように、そこで画像処理されてから出力信号が液晶パネル制御部３１及びＬＥＤ駆動部３２にそれぞれ出力される。すると、液晶パネル制御部３１により液晶パネル１１の駆動が制御されるとともに、ＬＥＤ駆動部３２により各ＬＥＤ１７が駆動されるとともにバックライト装置１２から液晶パネル１１に照明光が照射され、もって液晶パネル１１に所定の画像が表示される。
【００４７】
詳しくは、画像信号処理部３０からの出力信号を受けて液晶パネル制御部３１は、図９に示すように、液晶パネル１１のゲート配線に対して順次に走査信号を供給する垂直走査を実行するとともに、ソース配線に対して上記した垂直走査に同期したタイミングでもってデータ信号を供給し、それにより、１フレーム期間内に全ての画素電極に所定の電圧を印加して液晶パネル１１における各画素毎に光の透過率を制御する。一方、画像信号処理部３０からの出力信号を受けてＬＥＤ駆動部３２は、中継配線部材２４、配線側コネクタ部２５、ＬＥＤ基板１８の基板側コネクタ部２３及び配線パターンを介して駆動電力を各ＬＥＤ１７に供給することで、画像信号に同期したスキャン駆動を行っている。すなわち、ＬＥＤ駆動部３２は、画像信号処理部３０から液晶パネル制御部３１に入力される走査信号の垂直走査に同期して選択したＬＥＤ１７を順次に所定の選択期間ずつ点灯している。選択されたＬＥＤ１７からの発光光は、図５に示すように、主発光面１７ａの中央位置を通る垂線と一致する光軸ＬＡを中心にして所定の角度範囲内で三次元的に放射状に広がりつつ導光板１９の光入射面１９ｂにおける照射領域ＩＡに入射される。
【００４８】
導光板１９のうち指向性導光部２８の照射領域ＩＡに入射した光は、図７に示すように、光出射面１９ａに形成されたプリズム２６と、その反対側の面１９ｃに配された第３反射シート２２との間で繰り返し反射されることで、指向性導光部２８の内部を伝播される。このとき、指向性導光部２８の内部の光は、図８に示すように、頂角がほぼ直角に設定されたプリズム２６における外部との界面にて全反射されるので、Ｙ軸方向について所定の範囲内で反射を繰り返しつつＸ軸方向に沿ってほぼ直進し、Ｙ軸方向に拡散し得る範囲が規制される。従って、導光板１９の光出射面１９ａのうち選択されたＬＥＤ１７の照射範囲に対応した横長な帯状の領域からは、図１０に示すように、光が選択的に出射されるのに対し、それ以外の領域（非選択とされたＬＥＤ１７の照射範囲に対応した領域）からは殆ど光が出射されることがないものとされる。上記のようにＬＥＤ１７が垂直走査に同期してスキャン駆動されると、導光板１９の光出射面１９ａのうち上記垂直走査に同期して選択された帯状の領域が順次に所定の選択期間ずつ発光することになる。これにより、バックライト装置１２を擬似的にインパルス駆動することができ、もって動画解像度を向上させていわゆる動画ボケを軽減することができる。
【００４９】
一方、導光板１９のうち非指向性導光部２９の光入射面１９ｂには、図５に示すように、指向性導光部２８側の端部が照射領域ＩＡとなっているので、ここにＬＥＤ１７からの光が直接入射する。なお、非指向性導光部２９には、その内部において指向性導光部２８側から漏れる光が多少なりとも入るものとされる。このとき、非指向性導光部２９の光入射面１９ｂのうち非照射領域ＮＩＡには、ＬＥＤ１７からの光が直接入射されることがないため、非指向性導光部２９のうち照射領域ＩＡを有する部分と、非照射領域ＮＩＡを有する部分との間には、内部に存する光量に不均衡が生じ易くなっており、後者が前者よりも光量が少なく、また非照射領域ＮＩＡを有する部分においてＹ軸方向について照射領域ＩＡを有する部分から遠ざかるほど（導光板１９の短辺方向の端部に近づくほど）光量が少なくなる傾向にある。ところが、非指向性導光部２９の内部に入射した光は、光出射面１９ａに形成された平坦面２７と、その反対側の面１９ｃに配された第３反射シート２２との間で繰り返し反射されることで、非指向性導光部２９の内部を伝播される。このとき、非指向性導光部２９の内部の光は、図８に示すように、反対側の面１９ｃに並行するフラットな形態の平坦面２７における外部との界面にて全反射されるので、Ｙ軸方向に拡散するのが規制されることなく、Ｘ軸方向及びＹ軸方向について自由に拡散しつつ内部を伝播される。従って、非指向性導光部２９のうち互いにＹ軸方向に隣り合う照射領域ＩＡを有する部分と、非照射領域ＮＩＡを有する部分とで、内部に存在する光量及び光出射面１９ａ（平坦面２７）からの出射光量に生じ得る差が緩和される。これにより、非指向性導光部２９からの出射光に輝度ムラが生じ難くなっている。そして、指向性導光部２８と非指向性導光部２９との出射光量を比較してもその差が緩和され、もって導光板１９の全体からの出射光に輝度ムラが生じ難いものとされる。導光板１９からの出射光が液晶パネル１１に照射されることで、その表示領域ＡＡに画像が表示されることから、出射光の輝度ムラが抑制されることによって表示される画像の表示品位を十分に高いものとすることができる。
【００５０】
以上説明したように本実施形態のバックライト装置（照明装置）１２は、複数が並んで配されるＬＥＤ（光源）１７と、端面（光入射面１９ｂ）がＬＥＤ１７と対向状に配されるとともにＬＥＤ１７からの光の照射範囲に入る照射領域ＩＡと照射範囲から外れた非照射領域ＮＩＡとに区分されている一方で、その板面（光出射面１９ａ）からＬＥＤ１７からの光を出射させる導光板１９と、導光板１９を構成するものであって、照射領域ＩＡを有するとともに、内部に存する光に対し、ＬＥＤ１７の並び方向に当該光が拡散するのを規制することで、指向性を付与する指向性導光部２８と、導光板１９を構成するものであって、少なくとも非照射領域ＮＩＡを有するとともに、内部に存する光がＬＥＤ１７の並び方向に拡散するのを許容する非指向性導光部２９と、を備える。
【００５１】
このようにすれば、導光板１９の端面のうち各ＬＥＤ１７からの光の照射範囲に入る照射領域ＩＡには、各ＬＥＤ１７からの光が入射される。導光板１９の端面に入射した光は、導光板１９の内部を伝播された後に導光板１９の板面から出射される。ここで、端面に照射領域ＩＡを有する指向性導光部２８では、内部に存する光に対し、ＬＥＤ１７の並び方向に当該光が拡散するのを規制することで、指向性が付与されるので、例えば各ＬＥＤ１７の発光状態を制御することで各ＬＥＤ１７の照射範囲に応じた導光板１９の部分毎に出光状態を制御することができる。一方、端面に少なくとも非照射領域ＮＩＡを有する非指向性導光部２９では、内部に存する光の量が指向性導光部２８から遠ざかるほど少なくなる傾向にあるものの、内部に存する光がＬＥＤ１７の並び方向に拡散するのが許容されているので、非指向性導光部２９の板面からの出射光に輝度ムラが生じ難くなる。これにより、導光板１９の全体における板面の面内において出射光に輝度ムラが生じ難くなる。ここで、導光板１９の端面に非照射領域ＮＩＡが生じる原因は、主に当該バックライト装置１２の額縁部分を狭くする構成に因ることから、上記のように非照射領域ＮＩＡに起因する輝度ムラが抑制されることで、当該バックライト装置１２の狭額縁化を図ることが可能となる。
【００５２】
また、導光板１９のうち指向性導光部２８の板面には、ＬＥＤ１７の並び方向に沿って並んで配されるとともに互いに並行する形で直線状に延在する複数のプリズム２６が形成されている。このようにすれば、指向性導光部２８の内部に存する光は、ＬＥＤ１７の並び方向に沿って並んで配されるとともに互いに並行する形で直線状に延在する複数のプリズム２６の界面にて全反射されることで、プリズム２６の延在方向に沿って直進するような指向性が付与され、もってＬＥＤ１７の並び方向に拡散するのが規制される。
【００５３】
また、導光板１９のうち非指向性導光部２９の板面には、平坦面２７が形成されている。このようにすれば、非指向性導光部２９の内部に存する光は、平坦面２７の界面にて全反射されることで、ＬＥＤ１７の並び方向に良好に拡散され、もって非指向性導光部２９の板面からの出射光に輝度ムラが生じ難くなる。また、仮に非指向性導光部２９の板面に光の拡散性を担保するような非平坦面を形成した場合に比べると、容易に平坦面２７を形成することができて導光板１９の製造上好適となる。
【００５４】
また、非指向性導光部２９は、非照射領域ＮＩＡに加えて、照射領域ＩＡのうち非照射領域ＮＩＡに隣り合う部分を有している。このようにすれば、非指向性導光部２９の端面のうち、照射領域ＩＡのうち非照射領域ＮＩＡに隣り合う部分には、ＬＥＤ１７からの光が直接入射されるので、その入射した光が非指向性導光部２９の内部においてＬＥＤ１７の並び方向に拡散される。これにより、非指向性導光部２９の板面からの出射光に輝度ムラが一層生じ難くなるとともに、指向性導光部２８の板面からの出射光との比較において光量に生じ得る差がより好適に緩和される。
【００５５】
また、指向性導光部２８は、導光板１９のうちＬＥＤ１７の並び方向について中央側部分によって構成されるのに対し、非指向性導光部２９は、導光板１９のうちＬＥＤ１７の並び方向について端側部分によって構成されている。このようにすれば、非指向性導光部２９は、その内部で光がＬＥＤ１７の並び方向に拡散されることで、板面からの出射光に輝度ムラが生じ難くなっているものの、指向性導光部２８との比較において出射光量の差を解消するのが難しい場合がある。その場合であっても、非指向性導光部２９を導光板１９のうちＬＥＤ１７の並び方向について端側部分によって構成することで、非指向性導光部２９からの出射光が目立ち難くなり、それにより全体の輝度ムラをより抑制することが可能とされる。
【００５６】
また、導光板１９における端面と対向状をなす板面（実装面１８ａ）を有するとともに、その板面に複数のＬＥＤ１７と、ＬＥＤ１７への給電を中継する基板側コネクタ部（給電中継部）２３とが実装されてなるＬＥＤ基板１８を備えており、非指向性導光部２９は、端面の少なくとも一部が基板側コネクタ部２３と対向状に配されている。このようにすれば、非指向性導光部２９の端面の少なくとも一部には、ＬＥＤ基板１８における非発光部位である基板側コネクタ部２３と対向状に配されるために、非照射領域ＮＩＡが生じているものの、非指向性導光部２９の内部では、光がＬＥＤ１７の並び方向に拡散するのが許容されているので、非指向性導光部２９の板面からの出射光に輝度ムラが生じ難くなっている。
【００５７】
また、本実施形態に係る液晶表示装置（表示装置）１０は、上記記載のバックライト装置１２と、バックライト装置１２からの光を利用して表示を行う液晶パネル（表示パネル）１１とを備える。このような液晶表示装置１０によると、液晶パネル１１に対して光を供給するバックライト装置１２が、出射光の輝度ムラが抑制されたものであるため、表示品質の優れた表示を実現することが可能となる。
【００５８】
また、液晶パネル１１は、画像を表示する表示領域ＡＡと、表示領域ＡＡを取り囲む非表示領域ＮＡＡとに区分されており、導光板１９における非指向性導光部２９は、表示領域ＡＡの少なくとも一部に対して平面に視て重畳する位置に配されている。このようにすれば、導光板１９の板面からの出射光は、液晶パネル１１の表示領域ＡＡに照射されることで、表示領域ＡＡに画像が表示される。ここで、導光板１９における非指向性導光部２９は、表示領域ＡＡの少なくとも一部に対して平面に視て重畳する位置に配されていることから、非指向性導光部２９の板面からの出射光も表示領域ＡＡにおいて画像の表示に利用される。そして、この非指向性導光板１９の板面からの出射光には輝度ムラが生じ難いものとされているから、画像の表示品位を十分に高く保つことができる。上記したように非指向性導光部２９が表示領域ＡＡの少なくとも一部に対して平面に視て重畳する位置に配される構成となる原因は、主に表示装置の額縁部分を狭くする構成に因ることから、上記のように画像の表示品位が十分に高く保たれることで、当該液晶表示装置１０の狭額縁化を図ることが可能となる。
【００５９】
また、表示パネルは、一対の基板間に液晶を封入してなる液晶パネル１１とされる。このような表示装置は液晶表示装置１０として、種々の用途、例えばテレビやパソコンのディスプレイ等に適用でき、特に大型画面用として好適である。
【００６０】
＜実施形態２＞
本発明の実施形態２を図１１によって説明する。この実施形態２では、プリズム１２６の形態を変更したものを示す。なお、上記した実施形態１と同様の構造、作用及び効果について重複する説明は省略する。
【００６１】
本実施形態に係るプリズム１２６は、図１１に示すように、Ｚ軸方向について平坦面１２７よりも裏側に引っ込む形で形成されている。つまり、このプリズム１２６は、導光板１１９を樹脂成形する際に平坦面１２７よりも裏側に突出する山形形状の成形面を有する金型を用いて光出射面１１９ａを溝状に成形することで形成されている。このようなプリズム１２６によっても上記した実施形態１と同様の作用を得ることができる。
【００６２】
＜実施形態３＞
本発明の実施形態３を図１２または図１３によって説明する。この実施形態３では、導光板２１９を複数に分割したものを示す。なお、上記した実施形態１と同様の構造、作用及び効果について重複する説明は省略する。
【００６３】
本実施形態に係る導光板２１９は、図１２及び図１３に示すように、Ｘ軸方向に沿って分割されており、Ｙ軸方向（ＬＥＤ２１７の並び方向）に沿って並んで配されるとともにＸ軸方向に沿って延在する形態の３枚の分割導光板３３によって構成されている。導光板２１９は、概ね等間隔に分割されているので、各分割導光板３３の幅寸法（Ｙ軸方向についての寸法）がほぼ等しいものとされる。各分割導光板３３は、隣り合うもの同士が当接された状態でシャーシ２１４内に収容されている。これら３枚の分割導光板３３には、２種類のものが含まれており、指向性導光部２２８と非指向性導光部２２９とが混在する混在型分割導光板３３Ａと、指向性導光部２２８のみを有する指向性分割導光板３３Ｂとが備えられている。従って、指向性導光部２２８は、その中央側部分が指向性分割導光板３３Ｂに、その端側部分、つまり非指向性導光部２２９に隣り合う部分が混在型分割導光板３３Ａに、それぞれ分けて配されている、と言える。このことから、指向性導光部２２８と非指向性導光部２２９との境界位置は、隣り合う分割導光板３３Ａ，３３Ｂ間の境界位置、すなわち導光板２１９の分割箇所に対してＹ軸方向についてずれた位置となっている。これにより、導光板２１９の分割箇所に暗部が生じたとしても、その位置が指向性導光部２２８と非指向性導光部２２９との境界位置からずれていることで、生じた暗部が目立ち難くなっている。混在型分割導光板３３Ａの光出射面２１９ａには、プリズム２２６と平坦面２２７とが混在する形で形成されている。これに対し、指向性分割導光板３３Ｂの光出射面２１９ａには、プリズム２２６のみが形成されている。混在型分割導光板３３Ａは、導光板２１９の短辺方向について両端側（図１２に示す上側と下側）に位置して対をなす形で配されるのに対し、指向性分割導光板３３Ｂは、導光板２１９の短辺方向について中央側に位置して配されている。２枚の混在型分割導光板３３Ａには、同一部品が用いられている。また、指向性分割導光板３３Ｂは、幅方向の中央位置を通るＸ軸方向に沿う対称線に関して線対称形状とされているので、図１２に示す上下に反転したいずれの姿勢であっても使用することが可能とされる。
【００６４】
以上説明したように本実施形態によれば、導光板２１９は、ＬＥＤ２１７の並び方向に沿って並んで配されるとともに互いに並行する形で延在する複数の分割導光板３３により構成される。このようにすれば、複数の分割導光板３３によって導光板２１９を構成することで、一部品での製造が困難な大型サイズの導光板２１９を容易に得ることができ、もってバックライト装置の大型化に好適となる。
【００６５】
また、複数の分割導光板３３には、非指向性導光部２２９と、指向性導光部２２８のうち非指向性導光部２２９に隣り合う部分とを有する混在型分割導光板３３Ａが少なくとも含まれている。導光板２１９を複数の分割導光板３３により構成すると、分割箇所が局所的な暗部として視認されるおそれがある。一方、非指向性導光部２２９と指向性導光部２２８とでは、板面からの出射光量に多少なりとも差が生じる場合があるため、仮に非指向性導光部２２９と指向性導光部２２８との境界位置で導光板を分割すると、その分割箇所に生じる暗部が目立ち易くなってしまう。その点、上記したように混在型分割導光板３３Ａには、非指向性導光部２２９と、指向性導光部２２８のうち非指向性導光部２２９に隣り合う部分とが混在しているから、非指向性導光部２２９と指向性導光部２２８との境界位置が導光板２１９の分割箇所となるのが避けられており、それにより分割箇所に生じ得る暗部が目立ち難くなる。その結果、当該バックライト装置の出射光に輝度ムラが生じ難くなる。
【００６６】
また、導光板２１９には、同一の混在型分割導光板３３Ａが複数備えられている。このようにすれば、導光板２１９に係る製造コストを低減することができる。
【００６７】
＜実施形態４＞
本発明の実施形態４を図１４によって説明する。この実施形態４では、非指向性導光部３２９における平坦面３２７の形成方法を変更したものを示す。なお、上記した実施形態１と同様の構造、作用及び効果について重複する説明は省略する。
【００６８】
本実施形態では、樹脂成形した導光板３１９の光出射面３１９ａに所定の加工を施すことで、図１４に示すように、平坦面３２７を形成している。詳しくは、導光板３１９を樹脂成形する際には、光出射面３１９ａの全域にわたってプリズム３２６を形成し、その後、製造された導光板３１９のうち非指向性導光部３２９となる部分に係る光出射面３１９ａに形成されたプリズム３２６の谷部に対して充填材３４を充填することで、光出射面３１９ａを平坦化し、それにより平坦面３２７を形成している。この充填材３４としては、例えば、透光性に優れていてほぼ透明な熱可塑性樹脂材料が用いられる。光出射面３１９ａの全域にわたってプリズム３２６が形成された導光板３１９は、ＬＥＤをスキャン駆動するバックライト装置において汎用的に用いられる部材であるため、上記した実施形態１に記載した導光板１９（樹脂成形時にプリズム２６と平坦面２７とが形成される導光板１９）に比べると、製造コストが廉価であり、部材調達が容易なものとなっている。本実施形態では、このような廉価で調達が容易な導光板３１９に平坦面３２７を形成するための加工を追加することで、上記した実施形態１に記載した導光板１９と同等の機能を持つ導光板３１９を低コストでもって得ることができる。
【００６９】
以上説明したように本実施形態によれば、導光板３１９の板面には、ＬＥＤ３１７の並び方向に沿って並んで配されるとともに互いに並行する形で直線状に延在する複数のプリズム３２６が、全域にわたって形成されており、非指向性導光部３２９には、プリズム３２６の谷部に充填されることで板面を平坦化する充填材３４が設けられている。このようにすれば、板面の全域にわたってプリズム３２６が形成された汎用品の導光板１９を用いることができるから、仮に非指向性導光部２９についてのみプリズム２６を形成しない、特殊な構造の導光板１９を製造した場合に比べると、導光板３１９に係る製造コストを低減することができる。非指向性導光部３２９の板面は、プリズム３２６の谷部に充填材３４を充填することで平坦化されているから、内部に存する光をＬＥＤ３１７の並び方向に拡散させることが可能とされる。
【００７０】
＜実施形態５＞
本発明の実施形態５を図１５または図１６によって説明する。この実施形態５では、上記した実施形態４から非指向性導光部４２９における平坦面４２７の形成方法をさらに変更したものを示す。なお、上記した実施形態４と同様の構造、作用及び効果について重複する説明は省略する。
【００７１】
本実施形態では、図１５に示すように、光出射面４１９ａの全域にわたってプリズム４２６を形成した導光板４１９を樹脂成形した後、導光板４１９のうち非指向性導光部４２９となる部分に係る光出射面４１９ａに研磨加工を施すことでそこに形成されていたプリズム４２６を除去し、図１６に示すように、平坦面４２７を形成するようにしている。このようにして平坦面４２７を形成することで、上記した実施形態４と同様に導光板４１９に係る製造コストの低減を図ることができる。
【００７２】
＜実施形態６＞
本発明の実施形態６を図１７によって説明する。この実施形態６では、非指向性導光部５２９に樹脂材３５を積層形成したものを示す。なお、上記した実施形態１と同様の構造、作用及び効果について重複する説明は省略する。
【００７３】
本実施形態に係る導光板５１９を構成する非指向性導光部５２９には、図１７に示すように、透光性に優れたほぼ透明な樹脂材３５が積層形成されており、この樹脂材３５の外面が平坦面５２７とされている。樹脂材３５は、指向性導光部５２８のプリズム５２６の頂点よりもＺ軸方向について表側に突出しており、それにより図示しない光学部材を支持することが可能とされる。
【００７４】
＜実施形態７＞
本発明の実施形態７を図１８または図１９によって説明する。この実施形態７では、導光板６１９に基板側コネクタ部６２３を通すための基板側コネクタ部挿通凹部３６を形成したものを示す。なお、上記した実施形態１と同様の構造、作用及び効果について重複する説明は省略する。
【００７５】
本実施形態に係る導光板６１９には、図１８に示すように、ＬＥＤ基板６１８に設けられた基板側コネクタ部６２３を通すための基板側コネクタ部挿通凹部３６が切り欠き形成されている。基板側コネクタ部挿通凹部３６は、導光板６１９のうち四隅の各角部、つまり各非指向性導光部６２９における各基板側コネクタ部６２３との対向部分にそれぞれ形成されている。基板側コネクタ部挿通凹部３６は、図１９に示すように、非指向性導光部６２９のうち指向性導光部６２８寄りの端部を除いた範囲に形成されており、それにより残された非指向性導光部６２９の端面（光入射面６１９ｂ）にはＬＥＤ６１７からの光が照射される照射領域ＩＡが確保されている。言い換えると、基板側コネクタ部挿通凹部３６は、非指向性導光部６２９のうちＬＥＤ６１７からの光が照射されない非照射領域ＮＩＡに形成されている。
【００７６】
基板側コネクタ部６２３は、内部に図示しない配線側コネクタ部用の嵌合空間を有しているなどの理由により、ＬＥＤ基板６１８の実装面６１８ａからの突出高さがＬＥＤ６１７よりも高いものとされている。この基板側コネクタ部６２３を、基板側コネクタ部挿通凹部３６内に挿通することで、導光板６１９の光入射面６１９ｂにおける照射領域ＩＡとＬＥＤ基板６１８の実装面６１８ａとの間の距離を、基板側コネクタ部６２３の突出高さ寸法よりも短くすることができる。これにより、ＬＥＤ６１７の主発光面６１７ａと光入射面６１９ｂとの間の距離を短くして光の入射効率を向上させることができる。
【００７７】
以上説明したように本実施形態によれば、導光板６１９には、基板側コネクタ部６２３を通す中継部挿通凹部３６が切り欠き形成されている。このようにすれば、ＬＥＤ基板６１８の板面に設けられた基板側コネクタ部６２３が、導光板６１９に切り欠き形成された中継部挿通凹部３６に通されるので、仮に導光板に中継部挿通凹部３６を形成しない構成に比べると、ＬＥＤ基板６１８のＬＥＤ６１７と導光板６１９の端面との間の距離を短くすることができる。これにより、ＬＥＤ６１７から導光板６１９の端面に入射する光の入射効率を高くすることができ、高輝度化または低消費電力化を図ることができる。
【００７８】
＜実施形態８＞
本発明の実施形態８を図２０によって説明する。この実施形態８では、上記した実施形態３のさらなる変形例であって、ＬＥＤ基板７１８の設置枚数を変更したものを示す。なお、上記した実施形態１，３と同様の構造、作用及び効果について重複する説明は省略する。
【００７９】
本実施形態に係るＬＥＤ基板７１８は、図２０に示すように、導光板７１９の短辺側の各端面（光入射面７１９ｂ）に沿って３枚ずつ並ぶ形で合計６枚が配されている。Ｙ軸方向に沿って並列する３枚のＬＥＤ基板７１８のうち、両端側に配された２枚のＬＥＤ基板７１８に実装された基板側コネクタ部７２３は、導光板７１９における短辺方向の両端部と対向状をなすのに対し、中央側に配された１枚のＬＥＤ基板７１８に実装された基板側コネクタ部７２３は、導光板７１９における短辺方向の中央側部分と対向状をなしている。従って、導光板７１９には、基板側コネクタ部７２３と対向状をなす短辺方向の両端部と短辺方向の中央側部分の一部とにそれぞれ非指向性導光部７２９が形成されている。
【００８０】
導光板７１９は、分割箇所がＹ軸方向について隣り合うＬＥＤ基板７１８の間の位置とほぼ一致しているので、概ね等間隔に分割されており、各分割導光板３３の幅寸法（Ｙ軸方向についての寸法）がほぼ等しいものとされる。３つの分割導光板７３３は、全てが混在型分割導光板７３３Ａとされている。各混在型分割導光板７３３Ａは、その非指向性導光部７２９が各基板側コネクタ部７２３と対向状をなすよう配置されている。従って、図２０に示す上側の混在型分割導光板７３３Ａと、中央側の混在型分割導光板７３３Ａとは、同じ向きでシャーシ７１４内に収容されるのに対し、同図下側の混在型分割導光板７３３Ａは、上記した２枚の混在型分割導光板７３３Ａとは上下に反転した向きでシャーシ７１４内に収容されている。各混在型分割導光板７３３Ａには、同一部品が用いられており、それにより導光板７１９に係る製造コストが低減されている。
【００８１】
＜実施形態９＞
本発明の実施形態９を図２１によって説明する。この実施形態９では、上記した実施形態１からＬＥＤ基板８１８の設置枚数を変更したものを示す。なお、上記した実施形態１と同様の構造、作用及び効果について重複する説明は省略する。
【００８２】
本実施形態に係るＬＥＤ基板８１８は、図２１に示すように、導光板８１９の短辺側の各端面（光入射面８１９ｂ）に沿って１枚ずつ並ぶ形で合計２枚が配されている。各ＬＥＤ基板８１８は、基板側コネクタ部８２３が導光板８１９の短辺方向についての両端部のうち図２１に示す下側の端部に対して対向する姿勢で配置されている。これに対し、導光板８１９には、基板側コネクタ部８２３と対向状をなす短辺方向の一端部に非指向性導光部８２９が形成されており、それ以外の部分の全域が指向性導光部８２８とされている。
【００８３】
＜実施形態１０＞
本発明の実施形態１０を図２２または図２３によって説明する。この実施形態１０では、非指向性導光部９２９における光出射面９１９ａの形態を変更したものを示す。なお、上記した実施形態１と同様の構造、作用及び効果について重複する説明は省略する。
【００８４】
本実施形態に係る導光板９１９を構成する非指向性導光部９２９は、図２２及び図２３に示すように、その光出射面９１９ａに多数のマイクロレンズ３７を備えている。マイクロレンズ３７は、平面に視て略円形状をなす略半球状の凸レンズであり、非指向性導光部９２９の光出射面９１９ａにおいて多数が平面に視て千鳥状をなす形で平面配置されている。マイクロレンズ３７における外部との界面となる断面円弧状の湾曲面は、非指向性導光部９２９の内部に存する光を全反射することが可能とされ、且つ全反射した光がＹ軸方向に拡散するのを許容するような曲率をもって形成されている。これにより、非指向性導光部９２９における光の拡散性を十分に担保することができる。
【００８５】
＜他の実施形態＞
本発明は上記記述及び図面によって説明した実施形態に限定されるものではなく、例えば次のような実施形態も本発明の技術的範囲に含まれる。
（１）上記した各実施形態では、導光板における表裏の板面のうち光出射面側にプリズムを形成した場合を示したが、例えば、図２４に示すように、導光板１９‐１のうち光出射面１９ａ‐１側とは反対側の面１９ｃ‐１にプリズム２６‐１を形成するようにしても構わない。このとき、導光板１９‐１は、光出射面１９ａ‐１が全域にわたってフラットな平坦面とされるのに対し、その反対側の面１９ｃ‐１のうち非指向性導光部２９‐１のみが平坦面２７‐１とされるとともにそれ以外の指向性導光部２８‐１にプリズム２６‐１が形成される。
【００８６】
（２）上記した各実施形態では、指向性導光部にプリズムを形成することで、内部に存する光に所定の指向性を付与するようにしたものを示したが、例えば、図２４及び図２５に示すように、プリズムに代えてレンチキュラーレンズ３８を指向性導光部２８‐２に形成するようにしたものも本発明に含まれる。このレンチキュラーレンズ３８は、指向性導光部２８‐２においてＬＥＤ１７‐２の並び方向（Ｙ軸方向）に沿って並列して配される多数個のシリンドリカルレンズ３８ａからなり、各シリンドリカルレンズ３８ａは、ＬＥＤ１７‐２の光軸ＬＡに並行する方向（Ｘ軸方向）に沿って直線的に延在するとともにＹ軸方向に沿って切断した断面形状が半円形状をなしている。このような構成のレンチキュラーレンズ３８によっても上記したプリズムと同様に、ＬＥＤ１７‐２から指向性導光部２８‐２内に入射した光に、光軸ＬＡに沿って直進するような指向性を付与することができる。なお、レンチキュラーレンズの断面形状を半楕円形状などとすることも可能である。
【００８７】
（３）上記した各実施形態では、非指向性導光板に平坦面またはマイクロレンズを形成することで、内部に存する光の拡散性を担保するようにしたものを示したが、それら以外にも例えば非指向性導光部の光出射面またはその反対側の面に光を拡散させる作用を有する拡散ビーズをコーティングしたり、或いは非指向性導光部の光出射面またはその反対側の面にマット加工（粗面化加工）を施して粗面を形成するようにしても構わない。
【００８８】
（４）上記した（３）以外にも、非指向性導光部の光出射面またはその反対側の面に頂角が９０度以上となるプリズムや、９０度以下となるプリズムを形成することも可能である。
【００８９】
（５）上記した各実施形態では、非指向性導光部の光入射面が、非照射領域の全域と照射領域の一部とを有する構成とされるものを示したが、非指向性導光部の光入射面が非照射領域のみを有していて、指向性導光部の光入射面が照射領域の全域を有する構成としたものも本発明に含まれる。
【００９０】
（６）上記した（５）以外にも、指向性導光部の光入射面が照射領域の全域と、非照射領域の一部とを有する構成とされるものも本発明に含まれる。
【００９１】
（７）上記した各実施形態では、導光板のうちＬＥＤ基板の基板側コネクタ部と対向状をなす部分がＬＥＤからの光が照射されない非照射領域となるので、そこに非指向性導光部を設けるようにした場合を示したが、それ以外にも例えばＬＥＤの配列間隔を広くしたり、或いは導光板の光入射面とＬＥＤの主発光面との間の距離を短くするのに伴って、導光板の光入射面に非照射領域が生じる場合があり、その場合でも導光板のうち非照射領域を有する部分に、非指向性導光部を設けるようにすることができる。
【００９２】
（８）上記した各実施形態では、導光板にプリズムを形成する手法として、導光板を樹脂成形する際に金型の成形面の形状を転写するようにした場合を示したが、それ以外にも例えば板面が全域にわたってフラットな形状の導光板を樹脂成形した後、その板面に切削加工を施すことでプリズムを形成することも可能である。また、板面が全域にわたってフラットな形状の導光板を樹脂成形した後、導光板を加熱しつつ板面に金型をプレスすることでその金型の成形面の形状を転写してプリズムを形成することも可能である。いずれにしても、板面が全域にわたってフラットな導光板は、エッジライト型のバックライト装置において広く汎用的に使用されているものであるから、そのような導光板を使用することで導光板に係る製造コストをより低廉化することが可能となる。
【００９３】
（９）上記した実施形態３，８では、導光板を３枚の分割導光板に分割した場合を示したが、導光板の分割数（分割導光板の枚数）は、２枚または４枚以上に変更することも勿論可能である。なお、実施形態８においては、導光板の分割数とＬＥＤ基板の並列数とを一致させ、且つその分割箇所を一致させるのが好ましい。
【００９４】
（１０）上記した実施形態３，８では、導光板の分割箇所を、指向性導光部と非指向性導光部との境界位置からずれた配置とした場合を示したが、両者を一致させる配置構成とすることも可能である。
【００９５】
（１１）上記した実施形態４に記載した充填材に用いる材料としては、熱硬化性樹脂材料や紫外線硬化性樹脂材料などを用いることも可能である。
【００９６】
（１２）上記した実施形態５では、導光板を研磨することで平坦面を形成した場合を示したが、研磨加工以外にも、例えば導光板に熱をかけつつ平坦面を有する金型によってプレスすることで、平坦面を形成することも可能である。
【００９７】
（１３）上記した実施形態４から６に記載した構成を、実施形態２に記載した構成に適用することも勿論可能である。
【００９８】
（１４）上記した実施形態７から１０に記載した構成を、実施形態１以外の各実施形態に適用することも勿論可能である。
【００９９】
（１５）上記した実施形態８では、複数の分割導光部から構成される導光板の中央側に非指向性導光部を形成したものを示したが、実施形態１のように一部品構成とされる導光板においても、中央側に非指向性導光部を形成することも勿論可能である。
【０１００】
（１６）上記した各実施形態では、ＬＥＤ基板（ＬＥＤ）が導光板における両短辺側の端部に対向する形で配されるものを示したが、ＬＥＤ基板が導光板における片方の短辺側の端部のみに対向する形で配される構成のものも本発明に含まれる。
【０１０１】
（１７）上記した各実施形態では、ＬＥＤ基板（ＬＥＤ）が導光板における短辺側の端部に対向する形で配されるものを示したが、ＬＥＤ基板が導光板における長辺側の端部に対向する形で配される構成のものも本発明に含まれる。
【０１０２】
（１８）上記した各実施形態では、液晶パネルが有するカラーフィルタの着色部をＲ，Ｇ，Ｂの３色としたものを例示したが、着色部を４色以上とすることも可能である。
【０１０３】
（１９）上記した各実施形態では、光源としてＬＥＤを用いたものを示したが、有機ＥＬなどの他の光源を用いることも可能である。
【０１０４】
（２０）上記した各実施形態では、液晶表示装置のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。
【０１０５】
（２１）上記した各実施形態では、表示パネルとして液晶パネルを用いた液晶表示装置を例示したが、他の種類の表示パネルを用いた表示装置にも本発明は適用可能である。
【０１０６】
（２２）上記した各実施形態では、チューナーを備えたテレビ受信装置を例示したが、チューナーを備えない表示装置にも本発明は適用可能である。
【符号の説明】
【０１０７】
１０…液晶表示装置（表示装置）、１１…液晶パネル（表示パネル）、１２…バックライト装置（照明装置）、１７，２１７，３１７，６１７…ＬＥＤ（光源）、１８，６１８，７１８，８１８…ＬＥＤ基板（光源基板）、１９，１１９，２１９，３１９，４１９，５１９，６１９，７１９，８１９，９１９…導光板、１９ａ，１１９ａ，３１９ａ，４１９ａ，９１９ａ…光出射面（板面）、１９ｂ，６１９ｂ，７１９ｂ，８１９ｂ，８１９ｂ…光入射面（端面）、２３，６２３，７２３，８２３…基板側コネクタ部（給電中継部）、２６，１２６，２２６，３２６，４２６，５２６…プリズム、２７，１２７，２２７，３２７，４２７，５２７…平坦面、２８，２２８，５２８，６２８，８２８…指向性導光部、２９，２２９，３２９，４２９，５２９，６２９，７２９，８２９，９２９…非指向性導光部、３３，７３３…分割導光板、３３Ａ，７３３Ａ…混在型分割導光板、３４…充填材、３６…基板側コネクタ部挿通凹部、ＡＡ…表示領域、ＩＡ…照射領域、ＮＡＡ…非表示領域、ＮＩＡ…非照射領域、ＴＶ…テレビ受信装置
【図１】
2013118139.tif 000003
【図２】
2013118139.tif 000004
【図３】
2013118139.tif 000005
【図４】
2013118139.tif 000006
【図５】
2013118139.tif 000007
【図６】
2013118139.tif 000008
【図７】
2013118139.tif 000009
【図８】
2013118139.tif 000010
【図９】
2013118139.tif 000011
【図１０】
2013118139.tif 000012
【図１１】
2013118139.tif 000013
【図１２】
2013118139.tif 000014
【図１３】
2013118139.tif 000015
【図１４】
2013118139.tif 000016
【図１５】
2013118139.tif 000017
【図１６】
2013118139.tif 000018
【図１７】
2013118139.tif 000019
【図１８】
2013118139.tif 000020
【図１９】
2013118139.tif 000021
【図２０】
2013118139.tif 000022
【図２１】
2013118139.tif 000023
【図２２】
2013118139.tif 000024
【図２３】
2013118139.tif 000025
【図２４】
2013118139.tif 000026
【図２５】
2013118139.tif 000027
【図２６】
2013118139.tif 000028